【事件の表示】
　特許第２８２０６６８号「苗植付装置」の請求項１ないし２に係る特許に対する特許異議の申立てについて、次のとおり決定する。
【結　論】
　訂正を認める。
　特許第２８２０６６８号の請求項１ないし２に係る特許を維持する。
【理　由】
一、手続の経緯
　本件特許第２８２０６６８号は、平成４年６月２９日に出願された特願平４−１７０４３５号の一部を分割した特願平８−２６１５６０号の特許出願に係り、平成１０年８月２８日にその発明の設定登録がなされ、その後、特許異議申立人ヤンマー農機株式会社（以下、「申立人」という。）より特許異議の申立てがなされた。当審において取消理由を通知したところ、その指定期間内である平成１１年９月２７日に訂正請求がなされたものである。
二、訂正の適否についての判断
１．訂正の内容
　本件訂正の請求の趣旨は、本件特許の明細書を訂正請求書に添付した訂正明細書のとおり訂正することを求めるにあり、その訂正の要旨は、前記訂正請求書の「７．請求の理由」の「（３）訂正事項」に記載された次のとおりに訂正しようとするものである。
（１）特許請求の範囲の訂正
・訂正事項ａ
　本件特許明細書の特許請求の範囲の
「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、連結部材（９），（１３）を介して連結して、前記苗のせ台（６）を左右に往復横送り駆動するように構成してある苗植付装置。」を、
「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」と訂正する。
・訂正事項ｂ
　同明細書の特許請求の範囲の
「【請求項２】苗を載置する苗のせ台（６）の苗のせ面に形成された開□部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、連結部材（９），（１３）を介して連結して、前記苗のせ台（６）を左右に往復横送り駆動するように構成してある苗植付装置。」を、
「【請求項２】苗を載置する苗のせ台（６）の苗のせ面に形成された開□部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」と訂正する。
（２）発明の詳細な説明の訂正
・訂正事項ｃ
　同明細書の【０００４】の欄の
「【課題を解決するための手段】本発明の特徴は苗植付装置において、次のように構成することにある。
〔１〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、苗のせ台における仕切り壁の裏側に位置する補強部材の部分と、横送り部材とを連結部材を介して連結して、苗のせ台を左右に往復横送り駆動するように構成してある。」を、
「【課題を解決するための手段】本発明の特徴は苗植付装置において、次のように構成することにある。
〔１〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、苗のせ台における仕切り壁の裏側に位置する補強部材の部分と、横送り部材とを、前記苗送りベルトの巻回経路の外側で、連結部材を介して連結して、苗のせ台を左右に往復横送り駆動するように構成してある。」と訂正する。
・訂正事項ｄ
　同明細書の【０００５】の欄の
「〔２〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、補強部材において苗のせ台における仕切り壁の裏側部分に連結される部分と、横送り部材とを連結部材を介して連結して、苗のせ台を左右に往復横送り駆動するように構成してある。」を、
「〔２〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、補強部材において苗のせ台における仕切り壁の裏側部分に連結される部分と、横送り部材とを、前記苗送りベルトの巻回経路の外側で、連結部材を介して連結して、苗のせ台を左右に往復横送り駆動するように構成してある。」と訂正する。
２．訂正の目的の適否、新規事項の有無及び拡張・変更の存否
　上記（１）の訂正事項ａ及びｂの訂正は、特許請求の範囲の減縮を目的とするものに該当する。
  上記（２）の訂正事項ｃ及びｄの訂正は、発明の詳細な説明の記載を訂正後の特許請求の範囲の記載と整合させるためのものであるから、上記（２）の訂正事項ｃ及びｄの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
３．独立特許要件の判断
（１）訂正明細書の発明
　訂正明細書の請求項１に係る発明及び同明細書の請求項２に係る発明は、それぞれ訂正明細書の特許請求の範囲の請求項１及び請求項２に記載された事項により特定される次のとおりのものである。
 「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」（以下、「訂正明細書の発明１」という。）
 「【請求項２】苗を載置する苗のせ台（６）の苗のせ面に形成された開□部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」（以下、「訂正明細書の発明２」という。）
（２）取消理由
　当審において通知した取消理由は、本件の請求項１に係る発明及び請求項２に係る発明は、本件特許出願の日前に出願され、本件特許出願後に出願公開された下記実用新案登録出願の願書に最初に添付された明細書及び図面（以下、「先願明細書等」という。）に記載された考案と同一であり、しかも、本件の前記発明の特許出願の時にその特許出願人と実用新案登録出願の出願人とが同一の者であるとも、また前記実用新案登録出願の考案をした者がこの特許出願の前記発明の発明者と同一の者であるとも認めることができないので、本件の前記発明の特許は、特許法第２９条の２第１項の規定に違反してされた、というものである。
                      　　　　　　　記
先願明細書等：実願平３−２６９５７号（実開平５−５１０２０号公報）の願書に最初に添付した明細書又は図面（申立人提出の甲第１号証）
（３）先願明細書等に記載の考案
　上記先願明細書等には、田植機における苗載台装置に関し、以下の事項が記載されている。
　「【００１３】苗載台１５は、・・・突条の補強リブ２５と苗マット載置用の固定板２６とからなり、固定板２６には、・・・縦搬送ベルト２８（無端帯）が配置できる平面視矩形状の配置穴２７を穿設する。」（７頁２４〜２８行）、
　「【００１４】・・・符号３１は前記位置穴２７の上下中途部位において、固定板２６の裏面間を連結するための横長の断面矩形等の補強梁で、この補強梁３１は、前記各補強リブ２５の下面（裏面）箇所でブラケット３２等にボルト３３固定する。」（８頁２〜８行）、　
　「【００１５】前記中央伝動ケース１２の左右両側には、前記苗植付け機構１６の回動に同期して横方向に所定のピッチで移動する横移動杆３４を横方向に摺動自在に突設してあり、該横移動杆３４の左右両端部から突出する連結部材３５，３５を、前記補強梁３１の裏面に突設した伝動部材３６の凹所３８に調節ボルト３７，３７を介して接続する。」（８頁９〜１４行）、
　「【００１８】図７及び図８は、第２実施例を示し、苗載台１５の固定板２６の裏面（下面）に、前記矩形状の配置穴２７の上下中途部を横方向に跨ぐように支軸４６を配設し、補強リブ２５の裏面箇所等にブラケット４７を介して固定し、該支軸４６には中間ローラ４８を回転自在に被嵌し、該中間ローラ４８が配置穴２７箇所において縦搬送ベルト２８の裏面を支持するように構成するのである。」（９頁１０〜１５行）、
　「【００１９】図８における符号４９は前記中間ローラ４８と略平行状に固定板２６の裏面側に配設した伝動部材で、該伝動部材４９の両端を前記ブラケット４７，４７に固定し、前記実施例と同様に横送り機構における横移動杆３４の左右両端部から突出する連結部材３５，３５を前記伝動部材４９の凹所５０に調節ボルト３７，３７を介して接続することができる。」（９頁１６〜２１行）が記載されている。
　そうしてみると、上記記載からみて先願明細書等には「苗を載置する苗載台１５の苗のせ面に形成された配置穴２７に、苗を苗取り出し口に向けて送る苗送りベルト機構を臨ませ、前記苗載台１５の左右方向に亘る補強梁３１を、前記苗送りベルト機構の縦搬送ベルト２８の巻回経路を通して、前記苗載台１５の裏側に取り付けると共に、前記苗載台１５に沿って左右に配置されて回転駆動される横移動杆３４と、前記横移動杆３４の回転に伴い前記横移動杆３４に沿って往復横送り駆動される連結部材３５とを備え、前記補強梁３１において前記苗載台１５における補強リブ２５の裏側部分に連結される部分と、前記連結部材３５とを、伝動部材３６を介して連結して、前記苗載台１５を左右に往復横送り駆動するように構成してある苗植付装置」が記載されている。
（４）対比・判断
　訂正明細書の発明１又は訂正明細書の発明２と先願明細書等に記載の考案とをそれぞれ対比すると、先願明細書等に記載の考案における「苗載台１５」「配置穴２７」「補強梁３１」「縦搬送ベルト２８」「横移動杆３４」「連結部材３５」「補強リブ２５」「伝動部材３６」が、それぞれ訂正明細書の発明１又は訂正明細書の発明２における「苗のせ台６」「開口部６Ｂ」「補強部材７」「苗送りベルト１６」「横送り軸１０」「横送り部材１１、１２」「仕切壁６Ａ」「連結部材９、１３」に相当する。
（４−１）訂正明細書の発明１について
　先願明細書等に記載の考案と訂正明細書の発明１とは、「苗を載置する苗のせ台の苗のせ面に形成された開口部に、苗を苗取り出し口に向けて送る苗送りベルト機構を臨ませ、前記苗のせ台の左右方向に亘る補強部材を、前記苗送りベルト機構の苗送りベルトの巻回経路を通して、前記苗のせ台の裏側に取り付けると共に、前記苗のせ台に沿って左右に配置されて回転駆動される横送り軸と、前記横送り軸の回転に伴い前記横送り軸に沿って往復横送り駆動される横送り部材とを備え、前記苗のせ台における仕切り壁の裏側に位置する前記補強部材の部分と、前記横送り部材とを、連結部材を介して連結して、前記苗のせ台を左右に往復横送り駆動するように構成してある苗植付装置」の点で構成が一致する。
　しかしながら、先願明細書等に記載の考案は、訂正明細書の発明１を特定し、本件訂正によって限定された事項である「前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して」の構成を有していないから、訂正明細書の発明１が、上記先願明細書等に記載の考案と同一であると認めることはできない。そして、訂正明細書の発明１は、前記構成により明細書記載の効果を奏するものと認められる。
（４−２）訂正明細書の発明２について
　先願明細書等に記載の考案と訂正明細書の発明２とは、「苗を載置する苗のせ台の苗のせ面に形成された開口部に、苗を苗取り出し口に向けて送る苗送りベルト機構を臨ませ、前記苗のせ台の左右方向に亘る補強部材を、前記苗送りベルト機構の苗送りベルトの巻回経路を通して、前記苗のせ台の裏側に取り付けると共に、前記苗のせ台に沿って左右に配置されて回転駆動される横送り軸と、前記横送り軸の回転に伴い前記横送り軸に沿って往復横送り駆動される横送り部材とを備え、前記補強部材において前記苗のせ台における仕切り壁の裏側部分に連結される部分と、前記横送り部材とを、連結部材を介して連結して、前記苗のせ台を左右に往復横送り駆動するように構成してある苗植付装置」の点で構成が一致する。
　しかしながら、先願明細書等に記載の考案は、訂正明細書の発明２を特定し、本件訂正によって限定された事項である「前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して」の構成を有していないから、訂正明細書の発明２が、上記先願明細書等に記載の考案と同一であると認めることはできない。そして、訂正明細書の発明２は、前記構成により明細書記載の効果を奏するものと認められる。
（４−３）まとめ
　したがって、訂正明細書の発明１及び訂正明細書の発明２は特許出願の際独立して特許を受けることができるものである。
４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項の規定において準用する同第１２６条第２ないし４項の訂正に関する規定に適合するので、当該訂正を認める。
三、特許異議の申立てについて
１．特許異議申立理由の概要
　申立人は下記の証拠方法を提示して、本件の請求項１及び請求項２に係る発明は甲第１号証に記載された考案と同一であり、本件の請求項１及び請求項２に係る発明の特許は、特許法第２９条の２第１項の規定に違背してなされたものであるから、本件特許は取り消されるべきである、と主張している。
　　　　　　　　　　　　　　　　　　記
・甲第１号証：実願平３−２６９５７号（実開平５−５１０２０号公報）の願書に最初に添付された明細書又は図面
・甲第２号証：実願昭５３−１０５９１９号（実開昭５５−２３０２７号）のマイクロフィルム
２．当審の判断
（１）本件発明
　本件発明は、上記二、３．独立特許要件の判断の（１）訂正明細書の発明の項に記載した次のとおりのものである。
「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」（以下、「本件発明１」という。）
「【請求項２】苗を載置する苗のせ台（６）の苗のせ面に形成された開□部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」（以下、「本件発明２」という。）
（２）甲号各証に記載の考案
・甲第１号証には、上記二、３．独立特許要件の判断の（３）先願明細書等に記載の考案の項に記載したとおりの考案が記載されている。
・甲第２号証には、「前記苗植付具（５），（５）に連動して駆動される機体左右方向の回転軸（１５）を設けると共に、この回転軸（１５）に１本の無端螺旋溝（１６）を形成してある。前記螺旋溝（１６）に係合させた回転自在な突起（１７）を装備していて前記回転軸（１５）が駆動されるに伴ってそれに対して往復摺動する部材（１８）を設けると共に、前記苗のせ台（１）にその搬送方向に長い孔を備えたブラケット（１９）を設け、そして、前記長孔を貫通させたピン（２０）により前記摺動部材（１８）と前記ブラケット（１９）とを回転軸軸芯方向に停止連結させて、苗のせ台（１）を前記螺旋溝（１６）に係合させてある。つまり、回転軸（１５）が駆動されるに伴いそれに対して往復動する揺動部材（１８）により苗のせ台（１）を前記支軸芯（Ｐ）周りで左右に往復揺動させて、その重心位置（Ｇ）の移動量（Ｌ）を抑制した状態で苗のせ台（１）の搬送終端側を苗取出口（８），（８）に対して往復移動させるようにしてある。前記保持装置（１１）を構成するに、第５図に示すように、ハンドル（２１）により操作される機体左右方向の回転軸（２２）を苗のせ台（１）に立設してある左右一対のブラケット（２３），（２３）に支持させると共に、土付苗（１０）の床土部を挟持させる部材（２４）・・を前記両載置部分（ｌａ），（ｌａ）夫々に対応させた状態で前記回転軸（２２）に連結してある。」（６頁１６行〜７頁２０行）が記載され、また、第３、４図には、苗のせ台１における仕切り壁の裏側部分と摺動部材１８とをブラケット１９を介して連結して前記苗のせ台１を左右に往復横送り駆動するようにした構成、が記載されている。
（３）判断
　本件発明１又は本件発明２と甲第１号証に記載の考案とを対比すると、二、３．独立特許要件の判断の（４）対比・判断の項において前述したとおりであり、甲第１号証には、本件発明１の「前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して」の構成、或いは、本件発明２の「前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して」の構成が記載されてなく、また示唆されてもいない。
　また、申立人が周知技術を立証するために提出した甲第２号証を検討しても、本件発明１の「前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して」の構成、或いは、本件発明２の「前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して」の構成が周知であるとはいえない。
　そして、本件発明１及び本件発明２は、それぞれ前記構成により明細書記載の効果を奏するものと認められる。
　したがって、本件発明１及び本件発明２が甲第１号証に記載された考案と同一であるとすることはできない。
３．むすび
　以上のとおりであるから、特許異議申立人の申立ての理由及び提出した証拠方法によっては、本件発明の特許を取り消すことができない。また、他に本件発明の特許を取り消すべき理由を発見しない。
　よって、結論のとおり決定する。
【異議決定日】
平成１２年２月２４日（２０００．２．２４）
【訂正の要旨】
訂正の要旨
・訂正事項ａ
　本件特許明細書の【特許請求の範囲】の
「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、連結部材（９），（１３）を介して連結して、前記苗のせ台（６）を左右に往復横送り駆動するように構成してある苗植付装置。」
を、特許請求の範囲の減縮を目的として、
「【請求項１】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記苗のせ台（６）における仕切り壁（６Ａ）の裏側に位置する前記補強部材（７）の部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」
と訂正する。
・訂正事項ｂ
　同明細書の【特許請求の範囲】の
「【請求項２】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、連結部材（９），（１３）を介して連結して、前記苗のせ台（６）を左右に往復横送り駆動するように構成してある苗植付装置。」
を、特許請求の範囲の減縮を目的として、
「【請求項２】苗を載置する苗のせ台（６）の苗のせ面に形成された開口部（６Ｂ）に、苗を苗取り出し口（ａ）に向けて送る苗送りベルト機構（８）を臨ませ、前記苗のせ台（６）の左右方向に亘る補強部材（７）を、前記苗送りベルト機構（８）の苗送りベルト（１６）の巻回経路を通して、前記苗のせ台（６）の裏側に取り付けると共に、前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、前記補強部材（７）において前記苗のせ台（６）における仕切り壁（６Ａ）の裏側部分に連結される部分と、前記横送り部材（１１），（１２）とを、前記苗送りベルト（１６）の巻回経路の外側で、連結部材（９），（１３）を介して連結して、前記苗のせ台（６）を左右に往復横送り駆動するように構成してある苗植付装置。」
と訂正する。
・訂正事項ｃ
　同明細書の【０００４】の欄の
「【課題を解決するための手段】本発明の特徴は苗植付装置において、次のように構成することにある。
〔１〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、苗のせ台における仕切り壁の裏側に位置する補強部材の部分と、横送り部材とを連結部材を介して連結して、苗のせ台を左右に往復横送り駆動するように構成してある。」
を、明りょうでない記載の釈明を目的として、
「【課題を解決するための手段】本発明の特徴は苗植付装置において、次のように構成することにある。
〔１〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、苗のせ台における仕切り壁の裏側に位置する補強部材の部分と、横送り部材とを、前記苗送りベルトの巻回経路の外側で、連結部材を介して連結して、苗のせ台を左右に往復横送り駆動するように構成してある。」
と訂正する。
・訂正事項ｄ
　同明細書の【０００５】の欄の
「〔２〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、補強部材において苗のせ台における仕切り壁の裏側部分に連結される部分と、横送り部材とを連結部材を介して連結して、苗のせ台を左右に往復横送り駆動するように構成してある。」
を、明りょうでない記載の釈明を目的として、
「〔２〕苗を載置する苗のせ台の苗のせ面に形成された開口部に、苗を苗取り出し口に向けて送る苗送りベルト機構を臨ませ、苗のせ台の左右方向に亘る補強部材を、苗送りベルト機構の苗送りベルトの巻回経路を通して、苗のせ台の裏側に取り付けると共に、苗のせ台に沿って左右に配置されて回転駆動される横送り軸と、横送り軸の回転に伴い横送り軸に沿って往復横送り駆動される横送り部材とを備え、補強部材において苗のせ台における仕切り壁の裏側部分に連結される部分と、横送り部材とを、前記苗送りベルトの巻回経路の外側で、連結部材を介して連結して、苗のせ台を左右に往復横送り駆動するように構成してある。」
と訂正する。
（５４）【発明の名称】
苗植付装置
（５７）【特許請求の範囲】
　【請求項１】　苗を載置する苗のせ台（６）の苗のせ面に形成された開口部（６Ｂ）に、苗を苗取り出し口（ａ）に向けて送る苗送りベルト機構（８）を臨ませ、
　前記苗のせ台（６）の左右方向に亘る補強部材（７）を、前記苗送りベルト機構（８）の苗送りベルト（１６）の巻回経路を通して、前記苗のせ台（６）の裏側に取り付けると共に、
　前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、
　前記苗のせ台（６）における仕切り壁（６Ａ）の裏側に位置する前記補強部材（７）の部分と、前記横送り部材（１１），（１２）とを、
前記苗送りベルト（１６）の巻回径路の外側で、
　【請求項２】　苗を載置する苗のせ台（６）の苗のせ面に形成された開口部（６Ｂ）に、苗を苗取り出し口（ａ）に向けて送る苗送りベルト機構（８）を臨ませ、
　前記苗のせ台（６）の左右方向に亘る補強部材（７）を、前記苗送りベルト機構（８）の苗送りベルト（１６）の巻回経路を通して、前記苗のせ台（６）の裏側に取り付けると共に、
　前記苗のせ台（６）に沿って左右に配置されて回転駆動される横送り軸（１０）と、前記横送り軸（１０）の回転に伴い前記横送り軸（１０）に沿って往復横送り駆動される横送り部材（１１），（１２）とを備え、
　前記補強部材（７）において前記苗のせ台（６）における仕切り壁（６Ａ）の裏側部分に連結される部分と、前記横送り部材（１１），（１２）とを、
前記苗送りベルト（１６）の巻回径路の外側で、
【発明の詳細な説明】
　【０００１】
　　【産業上の利用分野】
　本発明は、田植機に装備される苗植付装置の苗のせ台の構成に関する。
　【０００２】
　　【従来の技術】
　苗植付装置においては、苗を載置する苗のせ台の苗のせ面に開口部を形成し、苗送りベルト機構を開口部に臨ませるように配置して、苗送りベルト機構の苗送りベルトを苗の裏面に当て付け苗送りベルトを回転駆動することにより、苗を苗取り出し口に向けて送るように構成したものがある。
　このように苗送りベルトを苗の裏面の長い範囲に亘って当て付けることによって、苗のせ台に載置される苗を苗送りベルトにより、苗取り出し口に向けて確実に送ることができる。
　【０００３】
　　【発明が解決しようとする課題】
　しかし、前述のような苗送りベルト機構を苗のせ台に備えると、苗のせ面に苗送りベルト機構を臨ませる為に、比較的大きな開口部を苗のせ面に形成しなければならないので、苗のせ台において苗のせ面の開口部付近の強度低下を招くことがある。
　本発明は苗のせ台に苗送りベルト機構を備えた苗植付装置において、苗のせ台における苗のせ面の開口部付近の強度低下を防止できる構成を得ることを目的としている。
　【０００４】
　　【課題を解決するための手段】
　本発明の特徴は苗植付装置において、次のように構成することにある。
〔１〕
　苗を載置する苗のせ台の苗のせ面に形成された開口部に、苗を苗取り出し口に向けて送る苗送りベルト機構を臨ませ、
　苗のせ台の左右方向に亘る補強部材を、苗送りベルト機構の苗送りベルトの巻回経路を通して、苗のせ台の裏側に取り付けると共に、
　苗のせ台に沿って左右に配置されて回転駆動される横送り軸と、横送り軸の回転に伴い横送り軸に沿って往復横送り駆動される横送り部材とを備え、
　苗のせ台における仕切り壁の裏側に位置する補強部材の部分と、横送り部材とを、
前記苗送りベルトの巻回径路の外側で、
　【０００５】
〔２〕
　苗を載置する苗のせ台の苗のせ面に形成された開口部に、苗を苗取り出し口に向けて送る苗送りベルト機構を臨ませ、
　苗のせ台の左右方向に亘る補強部材を、苗送りベルト機構の苗送りベルトの巻回経路を通して、苗のせ台の裏側に取り付けると共に、
　苗のせ台に沿って左右に配置されて回転駆動される横送り軸と、横送り軸の回転に伴い横送り軸に沿って往復横送り駆動される横送り部材とを備え、
　補強部材において苗のせ台における仕切り壁の裏側部分に連結される部分と、横送り部材とを、
前記苗送りベルトの巻回径路の外側で、
　【０００６】
　　【作用】
〔Ｉ〕
　請求項１の特徴のように、苗のせ台の左右方向に亘る補強部材を、苗送りベルトの巻回経路を通して苗のせ台の裏側に取り付けると、苗送りベルト機構が臨む苗のせ面の開口部を、補強部材が横切るように配置されることになって、苗のせ台における苗のせ面の開口部付近が補強部材によって補強される。
　この場合、苗送りベルトの巻回経路を通して補強部材を取り付けているので、既存の苗送りベルト機構の範囲から補強部材が大きく出るようなことがなく、補強部材の配置スペースに無駄がない。
　【０００７】
〔ＩＩ〕
　苗植付装置においては一般に、苗送りベルトを備えた苗送りベルト機構や、苗のせ台を左右に往復横送り駆動する横送り軸及び横送り部材、植付爪の駆動機構を、苗のせ台の裏側の比較的低い位置に備えており、苗植付装置が全体的にコンパクトになるように、且つ苗植付装置の重心が低くなるように構成している。
　【０００８】
　この場合、苗送りベルトよりも上側の苗のせ台の部分と、苗のせ台の裏側の比較的低い位置の横送り部材とを、連結部材を介して連結するように構成すれば、連結部材が長いものになってしまう。このように連結部材が長いものになると、横送り部材からの横送りの動力を苗のせ台に伝達する際、連結部材にたわみが生じて、横送り部材からの横送りの動力を、苗のせ台に確実に伝達することができないような状態の生じることがある。
　逆に、苗送りベルトよりも上側の苗のせ台の部分と横送り部材とを連結する際に、前述の連結部材を短いものにしようとすれば、横送り軸及び横送り部材の位置を上方に持ち上げて、苗送りベルトよりも上側の苗のせ台の部分に横送り部材を接近させるように構成する必要がある。しかし、横送り軸及び横送り部材を苗送りベルト機構や植付爪の駆動機構から離して上方に配置すると、前述の苗植付装置の全体的なコンパクト化及び苗植付装置の低重心化に反することになる。
　【０００９】
　これに対し請求項１の特徴によると、補強部材を苗送りベルトの巻回経路を通して苗のせ台の裏側に取り付けているので、補強部材が横送り部材の近くに位置することになって、補強部材と横送り部材とを連結部材を介して連結した際に、連結部材を短いものに構成することができる。従って、横送り部材からの横送りの動力が、連結部材のたわみを伴うことなく補強部材（苗のせ台）に確実に伝達される。
　【００１０】
〔ＩＩＩ〕
　苗のせ台は一般に、苗を載せる為の苗のせ面を複数条備え、隣合う苗のせ面の間に仕切り壁を備えて構成されており、平板状の苗のせ面に比べて縦壁状の仕切り壁の方が、強度が比較的高いものとなっている。
　これにより請求項１の特徴のように、苗のせ台における仕切り壁の裏側に位置する補強部材の部分と横送り部材とを、連結部材を介して連結すれば、横送り部材からの横送りの動力が主に、補強部材（苗のせ台における仕切り壁の裏側に位置する部分）、及び比較的強度の高い苗のせ台の仕切り壁に、伝達されて受け止められる状態となる。
　【００１１】
〔ＩＶ〕
　請求項２の特徴によると、請求項１の場合と同様に前項〔Ｉ〕に記載の「作用」を備えており、これに加えて以下のような「作用」を備えている。
　請求項２の特徴のように、補強部材において苗のせ台における仕切り壁の裏側部分に連結される部分と横送り部材とを、連結部材を介して連結すれば、横送り部材からの横送りの動力が、補強部材（苗のせ台における仕切り壁の裏側部分に連結される部分）、及び比較的強度の高い苗のせ台の仕切り壁に直接に掛かる状態となり、横送り部材からの横送りの動力が苗のせ台の苗のせ面には直接に掛からない状態となる。
　【００１２】
　　【発明の効果】
　請求項１の特徴によると、苗のせ台に苗送りベルト機構を備えた苗植付装置において、補強部材により苗のせ台における苗のせ面の開口部付近を補強することができて、苗のせ台の耐久性を向上させることができた。
　この場合、苗送りベルトの巻回経路を有効に利用して補強部材を取り付けているので、補強部材の配置スペースに無駄がなく、苗のせ台のコンパクト化の面で有利なものとなる。
　【００１３】
　請求項１の特徴によると、横送り部材からの横送りの動力が、連結部材のたわみを伴うことなく連結部材を介して、補強部材（苗のせ台）に確実に伝達されるので、苗のせ台の確実な往復横送りによって、苗の植付精度を向上させることができる。
　さらに横送り部材からの横送りの動力が主に、補強部材（苗のせ台における仕切り壁の裏側に位置する部分）、及び比較的強度の高い苗のせ台の仕切り壁に、伝達されて受け止められるように構成することによって、苗のせ台の往復横送りにおける強度面で有利なものとなる。
　【００１４】
　請求項２の特徴によると、請求項１の場合と同様に前述の請求項１の「発明の効果」を備えている。
　さらに請求項２の特徴によると、補強部材において苗のせ台における仕切り壁の裏側部分に連結される部分と横送り部材とを、連結部材を介して連結することにより、横送り部材からの横送りの動力が、補強部材（苗のせ台における仕切り壁の裏側部分に連結される部分）、及び比較的強度の高い苗のせ台の仕切り壁に直接に掛かる状態となるので、苗のせ台の往復横送りにおける強度面でさらに有利なものとなる。
　【００１５】
　　【実施例】
　図１に示すように、本機（図示せず）の後端に設けられた四連リンク１に、本機から動力の伝達を受けるフィードケース２を連結し、フィードケース２の下端に横向きフレーム３を連結して、横向きフレーム３から後方に向けて複数個の植付ケース４を延出している。植付ケース４の前端部を横向きフレーム３と平行に架設した伝動軸（図示せず）で連結して、植付ケース４への伝動構造を構成しており、植付ケース４の後端部に苗植付機構５、植付ケース４の上方に苗植付機構５の植付作動に連動して左右に一定ストロークで往復横送り駆動される苗のせ台６を設けて、乗用型の田植機に搭載される苗植付装置を構成している。
　【００１６】
　次に、苗のせ台６の往復横送りの構造について説明する。図３及び図４に示すように、苗のせ台６の裏側に全幅に亘って横向きの補強フレーム７（補強部材に相当）を掛け渡して取り付け、苗のせ台６を組み立て状態で補強している。苗のせ台６は植付条毎にマット状の苗を仕切る仕切り壁６Ａを設けて、仕切り壁６Ａで植付条毎の苗のせ台６の部分（苗のせ面）に分割しており、補強フレーム７で組み立て状態の苗のせ台６を補強している。
　【００１７】
　図２及び図３に示すように、補強フレーム７を断面Ｔ字状に形成しており、後述する苗送りベルト機構８の苗送りベルト１６の巻回経路を通して、補強フレーム７を配置し、苗のせ台６における仕切り壁６Ａの裏側部分に補強フレーム７を連結している。補強フレーム７において苗のせ台６における仕切り壁６Ａの裏側部分に連結される部分、並びに、補強フレーム７において苗のせ台６における仕切り壁６Ａの間の部分に、第１ブラケット９（連結部材に相当）を連結し、第１ブラケット９を後述する横送り機構Ａの移動体１１（横送り部材に相当）に、連結部材１３を介して連結している。
　【００１８】
　横送り機構Ａは図２及び図３に示すように、フィードケース２から螺旋軸１０（横送り軸に相当）を苗のせ台６に沿って横向きに延出し、螺旋軸１０に外嵌されて螺旋軸１０の軸芯方向に沿って横移動可能な移動体１１を設けて、移動体１１内に螺旋軸１０の螺旋溝に咬合するコマ部材１２（横送り部材に相当）を内装し、螺旋軸１０の回転によりコマ部材１２と一体で移動体１１を横送り駆動可能に構成している。移動体１１と第１ブラケット９とを、前述のように連結部材１３を介して連結している。以上の構成により、フィードケース２内の駆動機構（図示せず）によって螺旋軸１０を回転駆動し、移動体１１を一定ストロークで往復移動させて苗のせ台６を左右に往復横送り駆動する。
　【００１９】
　図２に示すように苗のせ台６の下部に、苗のせ面の苗の下端を受け止めて苗のせ台６に連れて横移動する苗を案内する摺動板２６を設けている。横送り機構Ａに連結される補強フレーム７を、苗送りベルト１６の巻回経路内に位置させることによって、苗送りベルト１６を避けて苗のせ台６の上端部に補強フレーム７を位置させるよりも、補強フレーム７を摺動板２６に近く配置でき、横送り駆動機構Ａの苗のせ台６に対する作用点と摺動板２６との間隔を小さくできて、苗のせ台６の左右への往復横送り駆動を円滑に行うことができる。
　移動体１１が螺旋軸１０に比べて小さなものなので、螺旋軸１０の両端から補強フレーム７に連結するアームを延出する場合に比べて、連結に要する配置スペースを小さくでき、苗のせ台６の全幅に亘る補強フレーム７のいずれの部分とも連結可能なので、連結点の制約が少ないと言う利点がある。
　【００２０】
　次に、苗送りベルト機構８について説明する。図２，３，４に示すように、下方に位置する駆動プーリ１４と上方に位置する従動プーリ１５とに亘り、突起付きの苗送りベルト１６を巻回して苗送りベルト機構８を構成しており、苗送りベルト機構８を苗のせ面に形成された二つの開口部６Ｂの各々に臨ませている。駆動プーリ１４の軸に被動アーム１７を、ワンウエイクラッチ（図示せず）及び戻しバネ（図示せず）を介して取り付け、フィードケース２から突設して常時回転する回転軸１８に、一対の駆動アーム１９を所定間隔で取り付けている。これにより、苗のせ台６の往復横送りの移動端において駆動アーム１９と被動アーム１７との位相が一致し、駆動アーム１９が被動アーム１７を駆動して、苗送りベルト１６が一定長さだけ回転移動し、苗を苗取り出し口ａに向けて送る。
　【００２１】
　図２に示すように、被動アーム１７と繰り出し量調節レバー（図示せず）とをワイヤ２１で連結しており、被動アーム１７の角度を変更して駆動アーム１９と最初に接触して駆動される初期位置を変更することにより、被動アーム１７の回転角度を変更して、苗送りベルト１６の回転移動量を調節可能に構成している。ワイヤ２１におけるアウタの支持部材２２を補強フレーム７に取り付けて、補強フレーム７を有効に利用しており、第２ブラケット２３を補強フレーム７に取り付けて、他の操作用のワイヤの受けとしても利用している。
　【００２２】
　図１，２，３，４に示すように補強フレーム７をアルミの型材で形成し、補強フレーム７に対して樹脂製の受け板２４を、スナップフィット式に弾性装着可能に取り付けており、受け板２４を苗送りベルト１６の送り経路側の裏面に接当させ、苗送りベルト１６の弛みを防止している。苗のせ台６の苗のせ面に沿って揺動して仕切り壁６Ａに対して出退自在な苗残量センサ２５が備えられている。
　【００２３】
〔別実施例〕
　苗送りベルト１６としては突起は無くてもよく、摩擦係数を高めるコーティング材や植毛を施したものでもよい。
　【００２４】
　尚、特許請求の範囲の項に図面との対照を便利にするために符号を記すが、該記入により本発明は添付図面の構成に限定されるものではない。
【図面の簡単な説明】
　　【図１】
　苗植付装置の側面図
　　【図２】
　受け板、苗送りベルト機構及び横送り機構付近の縦断側面図
　　【図３】
　受け板、苗送りベルト機構及び横送り機構付近の横断平面図
　　【図４】
　苗のせ台の苗のせ面及び苗送りベルト機構の正面図
　　【符号の説明】
　６　　　　　苗のせ台
　６Ａ　　　　苗のせ台の仕切り壁
　６Ｂ　　　　苗のせ台の開口部
　７　　　　　補強部材
　８　　　　　苗送りベルト機構
　９，１３　　連結部材
　１０　　　　横送り軸
　１１，１２　横送り部材
　１６　　　　苗送りベルト
　ａ　　　　　苗取り出し口